(57)【要約】    【課題】  対象物に打ち込まれたステープルの脚と、その脚が打ち込まれて形成された対象物の刺入孔との間に外部からの水分が浸透することが防がれる止水ステープル及びその止水ステープルを用いた壁構造の提供。    【解決手段】  ステープルＳに止水部材Ｒを嵌合させて止水ステープルＷとする。ステープルＳは、直線状の連結部ＳＣと、その両端から一方向に平行状に伸びる一対の脚部ＳＬからなる。止水部材Ｒは、合成ゴム製の方形板状体であり、方形の一辺の中央部を断面弓形状の溝状部Ｇに形成する。ステープルＳの両脚部ＳＬは、何れも止水部材Ｒの厚み内において長手方向両端部を基部側から先端側に短手方向に貫通している。止水ステープルＷを下地材Ｂに打ち込む前の両脚部ＳＬの先端側は止水部材Ｒから突出し、基部側のほとんどは止水部材Ｒ内に位置し、連結部ＳＣは全体が止水部材Ｒの基部側に接した状態又は近接した状態である。【選択図】      図１
2007297784.tif 000002
【特許請求の範囲】
【請求項１】
止水部を備えたステープルであって、
前記止水部は、ステープルの各脚部に外嵌された状態をなし、
前記止水部の先端側部分のうち少なくとも各脚部を取り囲む部分が、ステープルが対象物に打ち込まれた場合に対象物の表面に水密状に圧接し得る弾性材料からなり、
ステープルが対象物に打ち込まれて前記止水部の先端側部分が対象物の表面に圧接した状態において、その止水部とステープルの間が水密状をなすことを特徴とする止水ステープル。
【請求項２】
止水部がゴム状弾性材料からなる請求項１記載の止水ステープル。
【請求項３】
ゴム状弾性材料からなる一体状をなす止水部材がステープルの両脚部に外嵌されており、少なくとも各脚部を取り囲む部分の先端側部分が止水部を構成する請求項２記載の止水ステープル。
【請求項４】
ステープルが対象物に打ち込まれて前記止水部の先端側部分が対象物の表面に圧接した状態において、ステープルの両脚部を連結する連結部が止水部材を対象物の側に押圧することになる請求項３記載の止水ステープル。
【請求項５】
止水部材の先端側部分のうちステープルの両脚部の間の部分に、先端側に開口しステープルの連結部及び脚部により構成される面に直交する方向の溝状部を有する請求項３又は４記載の止水ステープル。
【請求項６】
ステーブルの両脚部の基部側に、剛性的材料からなる一つの押圧部が嵌合し、ステーブルの両脚部における前記押圧部の先端側に、一対の止水部がそれぞれ嵌合した請求項１又は２記載の止水ステープル。
【請求項７】
下地材と、その下地材を覆う防水シートと、その防水シート上から下地材に対し打ち込まれたステープルにより固定されたラスを備えてなる壁構造であって、
前記ステープルが請求項１乃至６の何れかに記載の止水ステープルであり、ステープルの各脚部に外嵌された状態をなす止水部の先端側部分のうち各脚部を取り囲む弾性材料製の部分が、防水シートの表面に水密状に圧接し、止水部とステープルの間は水密状をなすことを特徴とする壁構造。
【発明の詳細な説明】
【技術分野】
【０００１】
本発明は、壁構造を構成する下地材に対するラスの固定等に用いる止水ステープル及びその止水ステープルを用いた壁構造に関する。
【背景技術】
【０００２】
特開２００４−２９３０４２号公報（特許文献１）には、下地材の屋外側に透湿防水シートをステープルの打ち込みにより張設する壁構造が記載されている。
【０００３】
この壁構造においては、下地材の防水はステープルの打ち込みにより張設された透湿防水シートにより実現される。しかしながら、ステープルを打ち込むことにより透湿防水シートに刺入孔が形成されるため、ステープルの脚部と透湿防水シートに刺入孔の間に水分が浸透する可能性が生じていた。
【特許文献１】特開２００４−２９３０４２号公報
【発明の開示】
【発明が解決しようとする課題】
【０００４】
本発明は、従来技術に存した上記のような課題に鑑み行われたものであって、その目的とするところは、対象物に打ち込まれたステープルの脚部と、その脚部が打ち込まれて形成された対象物の刺入孔との間に外部からの水分が浸透することが防がれる止水ステープル及びその止水ステープルを用いた壁構造を提供することにある。
【課題を解決するための手段】
【０００５】
上記目的を達成する本発明の止水ステープルは、
止水部を備えたステープルであって、
前記止水部は、ステープルの各脚部に外嵌された状態をなし、
前記止水部の先端側部分のうち少なくとも各脚部を取り囲む部分が、ステープルが対象物に打ち込まれた場合に対象物の表面に水密状に圧接し得る弾性材料からなり、
ステープルが対象物に打ち込まれて前記止水部の先端側部分が対象物の表面に圧接した状態において、その止水部とステープルの間が水密状をなすことを特徴とする。
【０００６】
この止水ステープルを対象物に打ち込むと、ステープルの各脚部に外嵌された状態をなす止水部の先端側部分のうち各脚部を取り囲む弾性材料製の部分が、対象物の表面に水密状に圧接する。而も、この状態において、止水部とステープルの間は水密状をなす。
【０００７】
そのため、対象物に打ち込まれたステープルの脚部と、その脚部が打ち込まれて形成された対象物の刺入孔との間に外部からの水分が浸透することが防がれる。
【０００８】
なお、止水部はゴム状弾性材料からなるものとすることができる。
【０００９】
本発明の止水ステープルは、ゴム状弾性材料からなる一体状をなす止水部材がステープルの両脚部に外嵌されており、少なくとも各脚部を取り囲む部分の先端側部分が止水部を構成するものとすることが好ましい。
【００１０】
対象物に打ち込まれた状態のステープルによる対象物側への止水部材の押圧は、ステープルの形状からして、ステープルの脚部のまわりにおいて周方向に均等であるとは必ずしも言い得ないが、ゴム状弾性材料からなる止水部材が一体状をなすので止水部材全体の変形性が抑えられ、止水部の先端側部分の対象物の表面に対する圧接を可及的に周方向に均等化することができ、止水部の先端側部分のうち各脚部を取り囲む弾性材料製の部分の対象物の表面に対する水密状圧接をより確実に行わせることができる。
【００１１】
この止水ステープルは、ステープルが対象物に打ち込まれて前記止水部の先端側部分が対象物の表面に圧接した状態において、ステープルの両脚部を連結する連結部が止水部材を対象物の側に押圧することになるものとすることができる。
【００１２】
この場合、ステープルが対象物に打ち込まれて前記止水部の先端側部分が対象物の表面に圧接した状態において、ステープルの両脚部を連結する連結部が止水部材を対象物の側に押圧することとなるので、止水部材全体の変形性をより抑えて止水部の先端側部分の対象物の表面に対する圧接を周方向により均等化することができ、止水部の先端側部分のうち各脚部を取り囲む弾性材料製の部分の対象物の表面に対する水密状圧接を一層確実に行わせることができる。
【００１３】
また、これらの止水ステープルは、止水部材の先端側部分のうちステープルの両脚部の間の部分に、先端側に開口しステープルの連結部及び脚部により構成される面に直交する方向の溝状部を有するものとすることが好ましい。
【００１４】
この場合、止水部材のうち対象物に圧接する側は溝状部により横断面積（対象物の表面に平行な断面）が減少するため、止水部の先端側部分の変形が容易化し圧接の圧力が増大して対象物と止水部との間の水密性が向上する。また、ステープルにより対象物に固定するラスの線状材等を溝状部に位置させることにより、止水性を損なわずに線材等を固定を確実に行うことができる。
【００１５】
また、本発明の止水ステープルは、ステーブルの両脚部の基部側に、剛性的材料からなる一つの押圧部が嵌合し、ステーブルの両脚部における前記押圧部の先端側に、一対の止水部がそれぞれ嵌合したものとすることが好ましい。
【００１６】
この場合、ステープルが対象物に打ち込まれて前記止水部の先端側部分が対象物の表面に圧接した状態において、ステープルの両脚部を連結する連結部が、剛性的材料からなる一つの押圧部を介して、ステープルの両脚部にそれぞれ嵌合した一対の止水部を対象物の側に押圧することとなるので、両止水部の先端側部分の対象物の表面に対する圧接を均等化することができ、止水部の先端側部分のうち各脚部を取り囲む弾性材料製の部分の対象物の表面に対する水密状圧接をより一層確実に行わせることができる。
【００１７】
本発明の壁構造は、下地材と、その下地材を覆う防水シートと、その防水シート上から下地材に対し打ち込まれたステープルにより固定されたラスを備えてなる壁構造であって、
前記ステープルが請求項１乃至５の何れかに記載の止水ステープルであり、ステープルの各脚部に外嵌された状態をなす止水部の先端側部分のうち各脚部を取り囲む弾性材料製の部分が、防水シートの表面に水密状に圧接し、止水部とステープルの間は水密状をなすことを特徴とする。
【００１８】
この壁構造においては、ラスを下地材に対し固定するためのステープルの脚部と、その脚部による防水シートの刺入孔との間に外部からの水分が浸透することが防がれ、防水シートの防水機能が損なわれることが防がれる。
【発明の効果】
【００１９】
本発明の止水ステープルによれば、止水ステープルを対象物に打ち込むと、ステープルの各脚部に外嵌された状態をなす止水部の先端側部分のうち各脚部を取り囲む弾性材料製の部分が、対象物の表面に水密状に圧接し、この状態において止水部とステープルの間は水密状をなすので、対象物に打ち込まれたステープルの脚部と、その脚部が打ち込まれて形成された対象物の刺入孔との間に外部からの水分が浸透することが防がれる。
【００２０】
本発明の壁構造によれば、ラスを下地材に対し固定するためのステープルの脚部と、その脚部による防水シートの刺入孔との間に外部からの水分が浸透することが防がれ、防水シートの防水機能が損なわれることが防がれる。
【発明を実施するための最良の形態】
【００２１】
本発明の実施の形態を、図面を参照しつつ説明する。
【００２２】
図１乃至図５は、本発明の実施の形態の一例についてのものであって、図１は正面図、図２は平面図、図３は底面図、図４は右側面図、図５は使用状態断面図である。
【００２３】
止水ステープルＷは、金属線材製のステープルＳ（略Ｕ字状線材からなる止め具。金属製には必ずしも限らない。）に、止水部材Ｒが嵌合してなるものである。
【００２４】
ステープルＳは、直線状の連結部ＳＣと、その両端から一方向に平行状に伸びる一対の脚部ＳＬからなる。
【００２５】
止水部材Ｒは、合成ゴム（ゴム状弾性材料の一例）製の方形板状体であり、方形の一辺（この例の場合は長辺）の中央部が断面弓形状の溝状部Ｇに形成されている。溝状部Ｇを有する側が先端側、略側が基部側である。
【００２６】
ステープルＳの両脚部ＳＬは、何れも止水部材Ｒの厚み内において長手方向両端部を基部側から先端側に短手方向に（これに限るものではない）貫通している。止水ステープルＷを下地材Ｂに打ち込む前（使用前）の両脚部ＳＬの先端側は止水部材Ｒから突出し、基部側のほとんどは止水部材Ｒ内に位置し、連結部ＳＣは全体が止水部材Ｒの基部側に接した状態又は近接した状態である。なお、使用前のステープルＳの連結部ＳＣは、止水部材Ｒの基部側に接した状態又は近接した状態であることや、両脚部ＳＬの先端側が止水部材Ｒから突出していることを必ずしも要しない。
【００２７】
止水部材Ｒの先端側部分は、両脚部ＳＬの間において溝状部Ｇにより長手方向両側に分離されている。止水部材Ｒにおける溝状部Ｇの両側部分が、それぞれステープルＳの各脚部ＳＬを取り囲む止水部ＲＰを構成している。
【００２８】
図５に示されるよう防水シートＰで覆われた下地材Ｂ（対象物の一例。通常の場合、対象物の表面はほぼ平面状である。）に対しラスＡを固定するために、ラスＡの線状材が溝状部Ｇに位置するようにして止水ステープルＷを両脚部ＳＬの先端側から下地材Ｂに打ち込むと、ステープルＳの両脚部ＳＬを連結する連結部ＳＣの全体と下地材Ｂを覆う防水シートＰの間に止水部材Ｒが圧縮される。これにより、ステープルＳの各脚部ＳＬを取り囲む止水部材Ｒ（すなわち各止水部ＲＰ）の先端面が、下地材Ｂを覆う防水シートＰの表面に水密状に圧接し、ステープルＳの両脚部ＳＬとそれらが貫通した止水部材Ｒの貫通孔との間も水密状をなす。そのため、防水シートＰで覆われた下地材Ｂに打ち込まれたステープルＳの脚部ＳＬと、その脚部ＳＬが打ち込まれて形成された防水シートＰの刺入孔との間に外部からの水分が浸透することが防がれる。特に、溝状部Ｇによって、各止水部ＲＰのうち防水シートＰに圧接する部分の横断面積が減少するため、止水部ＲＰの先端側部分の変形が容易化し圧接の圧力が増大して対象物と止水部ＲＰとの間の水密性が向上する。また、ラスＡの線状材が溝状部Ｇに位置することにより、止水部ＲＰの防水シートＰに対する圧接による止水性を損なわずにラスＡの固定を確実に行うことができる。
【００２９】
止水部材Ｒは合成ゴム製であるが、両脚部ＳＬが貫通している両止水部ＲＰを含む止水部材Ｒ全体が一体状をなし、且つ連結部ＳＣ全体により止水部材Ｒが防水シートＰに対し押圧されるので、止水部材Ｒ全体の変形性が抑えられ、各脚部ＳＬを取り囲む止水部材Ｒの先端面が、防水シートＰ表面に対し、可及的に周方向に均等化した状態で、より確実に水密状に圧接する。
【００３０】
これにより、下地材Ｂと、その下地材Ｂを覆う防水シートＰと、その防水シートＰ上から下地材Ｂに対し打ち込まれた止水ステープルＷにより固定されたモルタル等の仕上げ材等塗工用のラスＡを備え、ステープルＳの脚部ＳＬとその脚部ＳＬによる防水シートＰの刺入孔との間に外部からの水分が浸透することが防がれて防水シートＰの防水機能が損なわれることが防がれる壁構造が得られる。
【００３１】
図６は、本発明の実施の形態の別の例についての正面図である。
【００３２】
この場合の止水部材Ｒは、合成ゴム製の一対の円柱状体であり、ステープルＳの両脚部ＳＬは、各止水部材Ｒを軸方向の基部側から先端側に貫通している。この場合、各止水部材Ｒが止水部ＲＰを構成している。止水ステープルＷを下地材Ｂに打ち込む前（使用前）の両脚部ＳＬの先端側は止水部材Ｒから突出し、基部側のほとんどは止水部材Ｒ内に位置し、連結部ＳＣは止水部材Ｒの基部側に接した状態又は近接した状態である。なお、使用前のステープルＳの連結部ＳＣは、止水部材Ｒの基部側に接した状態又は近接した状態であることや、両脚部ＳＬの先端側が止水部材Ｒから突出していることを必ずしも要しない。
【００３３】
防水シートＰで覆われた下地材Ｂ（対象物）に対しラスＡを固定するために、ラスＡの線状材が両止水部ＲＰ間に位置するようにして止水ステープルＷを両脚部ＳＬの先端側から下地材Ｂに打ち込むと、ステープルＳの両脚部ＳＬを連結する連結部ＳＣと下地材Ｂを覆う防水シートＰの間に各止水部材Ｒが圧縮される。これにより、ステープルＳの各脚部ＳＬを取り囲む止水部材Ｒ（すなわち各止水部ＲＰ）の先端面が、下地材Ｂを覆う防水シートＰの表面に水密状に圧接し、ステープルＳの両脚部ＳＬとそれらが貫通した止水部材Ｒの貫通孔との間も水密状をなす。そのため、防水シートＰで覆われた下地材Ｂに打ち込まれたステープルＳの脚部ＳＬと、その脚部ＳＬが打ち込まれて形成された防水シートＰの刺入孔との間に外部からの水分が浸透することが防がれる。
【００３４】
図７は、本発明の実施の形態の更に別の例についての正面図である。
【００３５】
この場合、ステーブルＳの両脚部ＳＬの基部側に、剛性的材料（例えば合成樹脂、金属、セラミクス等）からなる一つの細板状又は棒状の押圧部Ｅが嵌合し、ステーブルＳの両脚部ＳＬにおける押圧部Ｅの先端側に、押圧部Ｅに接合した合成ゴム製の一対の円柱状の止水部Ｃがそれぞれ嵌合している。すなわち、ステーブルＳの両脚部ＳＬは、押圧部Ｅの両端部をそれぞれ貫通し、更に一対の円柱状の止水部Ｃをそれぞれ軸方向に貫通している。止水部Ｃは、その基端側の全面において押圧部Ｅに接合している。なお、押圧部Ｅと止水部Ｃは、この例のように、接合していることが望ましい。
【００３６】
この止水ステープルＷを用いた場合、ステープルＳが下地材Ｂに打ち込まれて止水部Ｃの先端側部分が下地材Ｂの表面に圧接した状態において、ステープルＳの両脚部ＳＬを連結する連結部ＳＣが、剛性的材料からなる一つの押圧部Ｅを介して、ステープルＳの両脚部ＳＬにそれぞれ嵌合した一対の止水部Ｃを下地材Ｂの側に可及的に均等に押圧することとなるので、両止水部Ｃの先端側部分の下地材Ｂの表面に対する圧接を均等化することができ、止水部Ｃの先端側部分のうち各脚部ＳＬを取り囲む弾性材料製の部分の下地材Ｂの表面に対する水密状圧接をより一層確実に行わせることができる。
【００３７】
なお、以上の実施の形態についての記述における構成部品の寸法、個数、材質、形状、その相対配置などは、特にそれらに限定される旨の記載がない限りは、この発明の範囲をそれらのみに限定する趣旨のものではなく、単なる説明例に過ぎない。
【００３８】
例えば、本発明の止水ステープルにおいては、止水部の先端側部分は必ずしも各脚部に密接していなくともよく、間隔を隔てて各脚部を取り囲んだ状態で、例えば環状に対象物に圧接するものとすることもできる。この場合にステープルが対象物に打ち込まれて止水部の先端側部分が対象物の表面に圧接した状態において、例えば基部側部分において止水部とステープルの間が水密状をなすものであることが必要である。
【図面の簡単な説明】
【００３９】
【図１】正面図である。
【図２】平面図である。
【図３】底面図である。
【図４】右側面図である。
【図５】使用状態断面図である。
【図６】別の例についての正面図である。
【図７】更に別の例についての正面図である。
【符号の説明】
【００４０】
Ａ      ラス
Ｂ      下地材
Ｃ      止水部
Ｅ      押圧部
Ｇ      溝状部
Ｐ      防水シート
Ｒ      止水部材
ＲＰ    止水部
Ｓ      ステープル
ＳＣ    連結部
ＳＬ    脚部
Ｗ      止水ステープル
【図１】
2007297784.tif 000003
【図２】
2007297784.tif 000004
【図３】
2007297784.tif 000005
【図４】
2007297784.tif 000006
【図５】
2007297784.tif 000007
【図６】
2007297784.tif 000008
【図７】
2007297784.tif 000009